(57)【要約】【課題】小型、薄型、軽量であって、かつ広範囲の画像情報を取得しつつ携帯性を向上し得る密着型エリアセンサを提供する。【解決手段】複数個のセンサ部をマトリクス状に配置して画像を読み取る画像読取センサ基板をそれぞれ有する複数の画像読取体１０・１０と、複数の画像読取体１０・１０を相互に接続するための可撓性を有する接続線２とを備えている。【選択図】  図１
2004166223.tif 000002
【特許請求の範囲】
【請求項１】
複数個のセンサ部をマトリクス状に配置して画像を読み取る画像読取センサ基板をそれぞれ有する複数の画像読取体と、
上記複数の画像読取体を相互に接続するための可撓性を有する接続線とを備えていることを特徴とする密着型エリアセンサ。
【請求項２】
前記各画像読取体は、ヒンジ部材によって回動自在に連結されていることを特徴とする請求項１記載の密着型エリアセンサ。
【請求項３】
前記ヒンジ部材は、各画像読取体を脱着自在となっていることを特徴とする請求項２記載の密着型エリアセンサ。
【請求項４】
前記ヒンジ部材は、このヒンジ部材にて連結されている相互の画像読取体の開き角度を直角に固定可能となっていることを特徴とする請求項２記載の密着型エリアセンサ。
【請求項５】
前記ヒンジ部材は、このヒンジ部材にて連結されている相互の画像読取体の開き角度を１８０度に固定可能となっていることを特徴とする請求項２記載の密着型エリアセンサ。
【請求項６】
前記ヒンジ部材は、
各画像読取体の側面端部から突出する突出軸と、
上記両突出軸に架け渡され、かつ突出軸のそれぞれを貫通させるべく架け渡し方向に沿って線状に形成された長孔と架け渡し方向に直角に形成された切欠きとを有する長方形板と、
上記長孔に貫通された突出軸を、他方の画像読取体に形成された突出軸に引き寄せる弾性体とからなっていることを特徴とする請求項４又は５記載の密着型エリアセンサ。
【請求項７】
前記画像読取体には、各画像読取体を重ね合わせたときにこれら各画像読取体を着脱自在に固定する磁石が設けられていることを特徴とする請求項１記載の密着型エリアセンサ。
【請求項８】
前記接続線は、ヒンジ部材に内蔵されていることを特徴とする請求項２記載の密着型エリアセンサ。
【請求項９】
前記画像読取体は、それぞれが独立に画像読み取り駆動可能となっていることを特徴とする請求項１記載の密着型エリアセンサ。
【請求項１０】
前記各画像読取体は、順に画像読み取り駆動可能となっていることを特徴とする請求項１記載の密着型エリアセンサ。
【請求項１１】
前記画像読取体は、前記画像読取センサ基板の裏面にバックライトを備え、
上記バックライトは、赤、緑、青の光をサブフレーム期間毎に順に点灯することを特徴とする請求項１記載の密着型エリアセンサ。
【請求項１２】
前記画像読取体の少なくとも１個には、各画像読取体にて読み取った全ての画像情報を記憶するための記憶手段が着脱自在に設けられていることを特徴とする請求項１記載の密着型エリアセンサ。
【請求項１３】
前記画像読取体は、前記画像読取センサ基板の裏面に、透光と遮光とを切り替える透光・遮光切り替え手段を備えていることを特徴とする請求項１記載の密着型エリアセンサ。
【発明の詳細な説明】
【０００１】
【発明の属する技術分野】
本発明は、イメージセンサ機能を有する密着型エリアセンサに関する。特に、マトリクス状に配置された複数の薄膜トランジスタ（ＴＦＴ）によって構成される密着型エリアセンサに関する。
【０００２】
【従来の技術】
従来、シート状の原稿の両面にある画像情報を得るための手段として、例えば、特許文献１では、２つのラインセンサをシート状原稿の両面の対抗する位置に配置することにより、原稿の両面の画像情報を同時に得る方法が提案されている。
【０００３】
しかしながら、上記の特許文献１のような、原稿の両面の画像情報を同時に得る方法においては、原稿の表裏の同じ読み取り位置に同時に照射光を発した場合には、原稿の表裏の文字等の画像が互いに両方の読み取り装置にて読めてしまう。その結果、両面とも正確な文字等の画像を読むことができなくなる。
【０００４】
そこで、この問題を解決するためのスキャナ装置として、例えば、特許文献２に開示されたスキャナ装置がある。
【０００５】
この特許文献２のスキャナ装置では、２つのＣＣＤイメージセンサをシート状原稿の両面の対抗する位置に固定して配置するとともに、搬送される原稿に対して表裏にそれぞれ波長の異なる光を同時に照射して、両面相互の原稿情報の誤読を防止しつつ、原稿の両面の画像情報を同時に得る方法を提案している。
【０００６】
【特許文献１】
特開平１１−１３６４４４号公報（１９９９年５月２１日公開）
【０００７】
【特許文献２】
特開平６−２５３０９７号公報（１９９４年９月９日公開）
【０００８】
【発明が解決しようとする課題】
しかしながら、上記特許文献１の画像読取装置では、ラインセンサを用いているので、ラインセンサを原稿面で、スキャンしなければならない。２つのラインセンサを両面から同時にスキャンするためには、それぞれを動かす機械が必要であり、装置全体の小型化、薄型化、軽量化が困難である。また、同時に読み取る場合、透過光を遮断する必要がある。さらに、スキャンするのに時間がかかるという問題がある。
【０００９】
一方、特許文献２では、ＣＣＤイメージセンサを用いているため、焦点を絞る必要があり、レンズ、光路等の光学系が必要となる。そのため、装置全体の小型化、薄型化、軽量化が困難であり、振動に伴う光学系のずれの問題も生じてくる。
【００１０】
さらに、上記２件の例では、シート状原稿しか読み取ることができず、本のような厚い場合には、両面読み取りはできない。
【００１１】
本発明は、上記従来の問題点に鑑みなされたものであって、その目的は、小型、薄型、軽量であって、かつ広範囲の画像情報を取得しつつ携帯性を向上し得る密着型エリアセンサを提供することにある。
【００１２】
【課題を解決するための手段】
本発明の密着型エリアセンサは、上記課題を解決するために、複数個のセンサ部をマトリクス状に配置して画像を読み取る画像読取センサ基板をそれぞれ有する複数の画像読取体と、上記複数の画像読取体を相互に接続するための可撓性を有する接続線とを備えていることを特徴としている。
【００１３】
上記の発明によれば、画像読取センサ基板は、複数個のセンサ部をマトリクス状に配置して画像を読み取るようになっている。すなわち、画像読取センサ基板は、ガラス、石英等の透光性の基板上に薄膜トランジスタ(ＴＦＴ)をマトリクス状に配置したものであり、密着型エリアセンサを形成する。通常、この画像読取センサ基板には、バックライトが設けられて画像読取体を構成する。ただし、本発明では、画像読取センサ基板のみによって画像読取体を構成することも可能である。
【００１４】
画像の読取に際しては、この画像読取センサ基板の裏面から上記のバックライトにて光を入射させることにより、センサ部の内部を透過した光が、原稿面で反射し、センサ部に情報を提供する。このため、従来、ＣＣＤイメージセンサにおいて必要であった光学系を用いることなく、画像情報を得ることができ、小型、薄型、軽量の密着型エリアセンサを提供することができる。また、画像読取のセンサ部がマトリクス状に配置されており、画像を平面的に読み取ることができるので、機械的なスキャンを必要とせず、読み取りも高速で行うことができる。
【００１５】
また、本発明の密着型エリアセンサは、上記画像読取センサ基板をそれぞれ有する複数の画像読取体を備えたものとなっているとともに、これら各画像読取体は、可撓性を有する接続線にて相互に接続されている。
【００１６】
したがって、各画像読取体は分離しているが、可撓性を有する接続線にて相互に接続されているので、広い範囲の画像を読み取る場合には、複数の画像読取体を原稿画像に当接させることによって、広い範囲の画像を同時に読み取ることができる。
【００１７】
さらに、画像読取をしない場合には、各画像読取体は可撓性を有する接続線にて相互に接続されているので、各画像読取体を容易に重ねることができる。
【００１８】
また、接続線は可撓性を有するので、各画像読取体をどのようにも組み合わせることができる。このため、本のような厚い場合にも、両面読み取りが可能である。
【００１９】
したがって、小型、薄型、軽量であり、かつ広範囲の画像情報を取得しつつ携帯性を向上し得る密着型エリアセンサを提供することができる。
【００２０】
また、本発明の密着型エリアセンサは、上記密着型エリアセンサにおいて、前記各画像読取体は、ヒンジ部材によって回動自在に連結されていることを特徴としている。
【００２１】
上記の発明によれば、各画像読取体は、ヒンジ部材によって回動自在に連結されているので、画像を読み取るときには、ヒンジ部材に連結された画像読取体を開いて広範囲の片面情報を一度に読み取ることができる。また、画像の読み取りが終わった場合には、複数の画像読取体をヒンジ部材によって重ね合わせることにより、容易に密着型エリアセンサを折り畳むことができる。
【００２２】
したがって、各画像読取体の連結状態を保持しながら、広範囲の情報の同時読み取りと、折り畳んだ状態での密着型エリアセンサの携帯を行うことができる。
【００２３】
この結果、小型、薄型、軽量であり、かつ広範囲の画像情報を取得しつつ携帯性を向上し得る密着型エリアセンサを提供することができる。
【００２４】
また、本発明の密着型エリアセンサは、上記密着型エリアセンサにおいて、前記ヒンジ部材は、各画像読取体を脱着自在となっていることを特徴としている。
【００２５】
上記の発明によれば、ヒンジ部材は、各画像読取体を脱着自在となっているので、例えば、離れた原稿画像情報を読み取る場合には、各画像読取体を離脱させて、容易にその離れた原稿画像情報を読み取ることができる。
【００２６】
また、本発明の密着型エリアセンサは、上記密着型エリアセンサにおいて、前記ヒンジ部材は、このヒンジ部材にて連結されている相互の画像読取体の開き角度を直角に固定可能となっていることを特徴としている。
【００２７】
例えば、厚い本の見開いた両頁を読み取る場合には、当該本の頁が山形となっているので、それを平面状態にするのは困難である。一方、その本を９０°開いた状態では、各頁をそれぞれ平面状態にするのは容易である。
【００２８】
そこで、本発明では、ヒンジ部材にて連結されている両画像読取体の開き角度を直角に固定することができるようになっている。
【００２９】
したがって、厚い本であっても、本の開き角度を９０°に固定することにより、各頁を容易に平面状態にし、密着型エリアセンサが画像の全面について確実に密着されるようにして、情報の誤読を防止する。
【００３０】
また、本発明の密着型エリアセンサは、上記密着型エリアセンサにおいて、前記ヒンジ部材は、このヒンジ部材にて連結されている相互の画像読取体の開き角度を１８０度に固定可能となっていることを特徴としている。
【００３１】
例えば、複数の画像読取体を並べた大きさの原稿情報を読み取るときには、これら複数の画像読取体は、同一平面となるように固定されているのが好ましい。
【００３２】
この点、本発明では、ヒンジ部材は、このヒンジ部材にて連結されている相互の画像読取体の開き角度を１８０度に固定可能となっている。このため、ヒンジ部材を、相互の画像読取体の開き角度を１８０度となるように固定することにより、相互の画像読取体を同一平面となるように固定し、シート状原稿の情報を容易に読み取ることができる。
【００３３】
また、本発明の密着型エリアセンサは、上記密着型エリアセンサにおいて、前記ヒンジ部材は、各画像読取体の側面端部から突出する突出軸と、上記突出軸のそれぞれを貫通させるべく、長手方向に沿って線状に形成された長孔と長手方向に直角に形成された切欠きとを有する長方形板と、上記長孔に貫通された突出軸を、他方の画像読取体に形成された突出軸に引き寄せる弾性体とからなっていることを特徴としている。
【００３４】
上記の発明によれば、長方形板には突出軸を貫通させる長孔が設けられておりかつ弾性体によって、突出軸同士が相互に引き寄せられる。このことは各画像読取体同士が引き寄せられることを意味する。したがって、このヒンジ部材では、例えば、２枚の画像読取体の間に原稿を挟持して原稿の両面を読み取ることができる。この場合、２枚の画像読取体は、弾性体によって原稿を押圧して挟持するので、画像読取体の原稿への密着性が確保される。また、この状態は、密着型エリアセンサを折り畳んだ状態でもあるので、密着型エリアセンサの携帯時において、各画像読取体を相互に分離しないようにして保持することができる。
【００３５】
さらに、本発明では、ヒンジ部材におけるこの長孔と弾性体との組み合わせにより、例えば２枚の画像読取体を開き角度９０°又は開き角度１８０°に固定することができる。
【００３６】
また、本発明の密着型エリアセンサは、上記密着型エリアセンサにおいて、前記画像読取体には、各画像読取体を重ね合わせたときにこれら各画像読取体を着脱自在に固定する磁石が設けられていることを特徴としている。
【００３７】
上記の発明によれば、画像読取体には磁石が設けられている。このため、密着型エリアセンサを折り畳んだときには、各画像読取体は密着状態に固定される。一方、磁石により固定された画像読取体は、それを容易に引き剥がすことができるので、画像読取体を開いて画像を読み取ることができる。
【００３８】
したがって、広範囲の画像情報を取得しつつ携帯性を向上し得る密着型エリアセンサを提供することができる。
【００３９】
また、本発明の密着型エリアセンサは、上記密着型エリアセンサにおいて、前記接続線は、ヒンジ部材に内蔵されていることを特徴としている。
【００４０】
上記の発明によれば、接続線は、ヒンジ部材に内蔵されているので、接続線が露出しない。したがって、見栄えの良い密着型エリアセンサを提供することができる。
【００４１】
また、本発明の密着型エリアセンサは、上記密着型エリアセンサにおいて、前記各画像読取体は、それぞれが独立に画像読み取り駆動可能となっていることを特徴としている。
【００４２】
上記の発明によれば、各画像読取体をそれぞれ独立に駆動して画像読み取りすることができる。したがって、例えば、一枚の原稿を挟持した場合において、片面のみの情報の読み取りを行うことができる。
【００４３】
また、本発明の密着型エリアセンサは、上記密着型エリアセンサにおいて、前記各画像読取体は、順に画像読み取り駆動可能となっていることを特徴としている。
【００４４】
すなわち、上述したように、一般に、各画像読取体はバックライトを備えているので、例えば、一枚の原稿を挟持して両面の情報の読み取りを行う場合においては、同時に情報の読み取りを行うと、各バックライトの照射によって、互いに裏面の画像を読み取るおそれがある。
【００４５】
この点、本発明では、各画像読取体は、順に画像読み取り駆動可能となっているので、両面の情報が同時に読み取られることはない。したがって、各面の情報を、確実に誤読なく読み込むことができる。
【００４６】
また、本発明の密着型エリアセンサは、上記密着型エリアセンサにおいて、前記画像読取体は、画像読取センサ基板の裏面にバックライトを備え、上記バックライトは、赤、緑、青の光をサブフレーム期間毎に順に点灯することを特徴としている。
【００４７】
上記の発明によれば、画像読取体は、画像読取センサ基板の裏面にバックライトを備えており、そのバックライトは、赤、緑、青の光をサブフレーム期間毎に順に点灯する。このため、原稿画像をカラーにて読み取ることができる。
【００４８】
また、本発明の密着型エリアセンサは、上記密着型エリアセンサにおいて、前記画像読取体の少なくとも１個には、各画像読取体にて読み取った全ての画像情報を記憶するための記憶手段が着脱自在に設けられていることを特徴としている。
【００４９】
上記の発明によれば、各画像読取体にて読み取った全ての画像情報は、画像読取体の少なくとも１個設けられる記憶手段に記憶される。そして、この記憶手段は、画像読取体に対して着脱自在となっている。したがって、密着型エリアセンサと例えばパーソナルコンピュータとを絶えず接続しておく必要がないので、携帯性に優れる。また、密着型エリアセンサのみを携帯することによって、パーソナルコンピュータがなくても任意の場所で原稿画像を読み取ることができる。なお、記憶手段に格納した原稿画像情報は、この記憶手段を密着型エリアセンサから外してパーソナルコンピュータに取り付けることにより、容易に原稿画像情報をパーソナルコンピュータに表示することができる。
【００５０】
また、本発明の密着型エリアセンサは、上記密着型エリアセンサにおいて、前記画像読取体は、前記画像読取センサ基板の裏面に、透光と遮光とを切り替える透光・遮光切り替え手段を備えていることを特徴としている。
【００５１】
上記の発明によれば、１枚の原稿の両面を各画像読取体にて挟んで画像情報を読み取る場合に、一方の画像読取体が画像情報を読み取るときには、他方の画像読取体における裏面の透光・遮光切り替え手段を遮光状態にすることができる。
【００５２】
したがって、１枚の原稿を両面から挟んで画像情報を読み取る場合に、原稿の裏面からの透過光による、裏面情報の誤読を防止することができる。
【００５３】
【発明の実施の形態】
〔実施の形態１〕
本発明の実施の一形態について図１ないし図１７に基づいて説明すれば、以下の通りである。
【００５４】
本実施の形態の密着型エリアセンサ１は、図１に示すように、２台の画像読取体１０・１０を接続線２にて接続したものからなっている。この接続線２は、フレキシブルケーブルからなり、可撓性を有している。なお、本実施の形態では、画像読取体１０・１０は２台となっているが、必ずしもこれに限らず、例えば、３台以上の複数から構成することが可能である。その場合には、各画像読取体１０・１０の間に接続線２が設けられることになる。
【００５５】
上記２台の画像読取体１０・１０における一方の画像読取体１０からは、図示しないパーソナルコンピュータに接続するために、例えば汎用シリアルバス（ＵＳＢ：Universal Serial Bus）３が延びている。したがって、本実施の形態では、密着型エリアセンサ１は、常時、パーソナルコンピュータに接続されている。
【００５６】
ただし、必ずしもこれに限らず、例えば、図２に示すように、着脱自在の記憶手段としてのメモリチップ６に読み取った画像情報を記憶し、後に、そのメモリチップ６を外してパーソナルコンピュータにて読み込ませることが可能である。
【００５７】
上記の画像読取体１０は、図３に示すように、上側に設けられる画像読取センサ基板２０と、この画像読取センサ基板２０の下側に設けられる照明手段であるバックライト３０とからなっている。
【００５８】
上記のバックライト３０は、３層構造となっている。最下層には導光板３１が設けられており、この導光板３１の端部には、図４に示すように、赤色(Ｒ)、緑色(Ｇ)、青色(Ｂ)の３色の発光ダイオード（ＬＥＤ：light emitting diode）３２が設けられている。上記導光板３１の上側には、図３に示すように、光散乱板３３、集光レンズシート３４が積層されている。
【００５９】
一方、上記画像読取センサ基板２０は、同図に示すように、ガラス基板２１と、センサ層２２と、このセンサ層２２の上側に設けられる透明の保護層２３とからなっている。上記センサ層２２は、複数個のセンサ部２４…をマトリクス状に配置した画素アレイを形成している。
【００６０】
すなわち、センサ部２４…は、各画素において、例えば、光電変換素子である図示しない光センサ用ＴＦＴ（Thin Film Transistor：薄膜トランジスタ）とスイッチング素子である図示しないスイッチング用ＴＦＴとを備えている。そして、各画素の光センサ用ＴＦＴは、原稿面等の被写体の明／暗によって電気特性が変化する仕組みになっている。
【００６１】
具体的には、光センサ用ＴＦＴとして用いられているフォトトランジスタの抵抗値が光の明／暗によって変化するため、それに伴って、各フォトトランジスタに接続されている画素容量（蓄積容量）に蓄積される電荷量又は電圧が変化する。そして、その画素容量の電荷量分布又は電圧分布を、スイッチング用ＴＦＴによって順次読み出すことにより、被写体の２次元情報を得ることができるものとなっている。
【００６２】
上記構成の画像読取体１０における画像読み込み動作について具体的に説明する。
【００６３】
先ず、バックライト３０からの光が、画像読取センサ基板２０のガラス基板２１を通過して、保護層２３に対向して当接された図示しない原稿に到達する。
【００６４】
上記バックライト３０からの光は、詳細には、図５に示すように、赤（Ｒ）・緑（Ｇ）・青（Ｂ）３色の発光ダイオード３２が順次点灯されたものである。これによって、原稿の画像情報による反射率の差から、上述したように、センサ部２４に入射する光の強度が電荷となって蓄積され、蓄積された電荷は、チャージアンプ等を用いて電圧変換され、アナログ−デジタルコンバータにてデジタル信号に変換され、その結果、赤（Ｒ）の画像、緑（Ｇ）の画像、青（Ｂ）の画像の３枚の画像情報が生成される。この３枚の画像情報は、図示しない他のメモリ又はＤＳＰ（Digital Signal Processor）等の周辺回路に取り込まれる。
【００６５】
次いで、この３枚の画像は、順次、汎用シリアルバス３を介して外部の図示しないパーソナルコンピュータに送られ、このパーソナルコンピュータの内部で合成処理が行われる。その際、それぞれの画像の１ピクセル（画素）毎にＲＧＢ各８ビットを２４ビット信号に合成する。実際には、空の８ビットを加えて、３２ビット信号として処理される。これにより、カラー画像をパーソナルコンピュータにて表示することができ、必要に応じて、印刷装置を用いて印刷することも可能である。
【００６６】
この結果、従来、ＣＣＤイメージセンサにおいて必要であった光学系を用いることなく、画像情報を得ることができ、小型、薄型、軽量の密着型エリアセンサを提供することができる。また、画像読取のセンサ部がマトリクス状に配置されており、画像を平面的に読み取ることができるので、機械的なスキャンを必要とせず、読み取りも高速で行うことができる。
【００６７】
ところで、本実施の形態の密着型エリアセンサ１は、図１に示すように、２枚の画像読取体１０・１０がフレキシブルな接続線２によって接続されたものである。したがって、各画像読取体１０・１０は分離しているが、可撓性を有する接続線２にて相互に接続されているので、広い範囲の画像を読み取る場合には、複数の画像読取体１０・１０を原稿画像に当接させることによって、広い範囲の画像を同時に読み取ることができる。
【００６８】
さらに、画像の読み取りをしない場合には、各画像読取体１０・１０は可撓性を有する接続線２にて相互に接続されているので、各画像読取体１０・１０を容易に重ねることができる。
【００６９】
また、接続線２は可撓性を有するので、各画像読取体１０・１０をどのようにも組み合わせることができる。このため、本のような厚い場合にも、両面読み取りが可能である。したがって、小型、薄型、軽量であって、かつ広範囲の画像情報を取得しつつ携帯性を向上し得る密着型エリアセンサ１を提供することができる。
【００７０】
ところで、上記のように、各画像読取体１０・１０が、単に、接続線２で接続されているだけでは、密着型エリアセンサ１を使用しない場合等において、各画像読取体１０・１０を重ね合わせて持ち運ぶときに、各画像読取体１０・１０が分離等するので、取り扱いが不便である。
【００７１】
そこで、本実施の形態の密着型エリアセンサ１では、図６に示すように、各画像読取体１０・１０を、ヒンジ部材４０を用いて回動自在になるように連結している。ヒンジ部材４０は、各画像読取体１０・１０の側面端部に設けられている。また、ヒンジ部材４０は、図７に示すように、各画像読取体１０・１０の両方の側面端部に設けられている。
【００７２】
上記ヒンジ部材４０は、詳細には、図８及び図９に示すように、各画像読取体１０・１０の側面端部から突出する突出軸４１・４１と、これら両突出軸４１・４１に架け渡され、かつ突出軸４１・４１のそれぞれを貫通させるべく架け渡し方向に沿って線状に形成された長孔４２と架け渡し方向に直角に形成された切欠き４３とを有する長方形板４４と、上記長孔４２に貫通された突出軸４１・４１を、他方の画像読取体１０に形成された突出軸４１に引き寄せる弾性体としてのスプリング４５とからなっている。
【００７３】
上記突出軸４１・４１は、長孔４２及び切欠き４３の貫通部分ではその長孔４２及び切欠き４３に遊嵌されているとともに、先端部は長孔４２及び切欠き４３よりも径の大きい円盤として形成されている。これによって、長方形板４４が、突出軸４１・４１の先端方向に外れないようになっている。また、切欠き４３に遊嵌されている突出軸４１は、長方形板４４を切欠き４３に沿って回転させることにより、簡単に外すことが可能である。なお、通常は、切欠き４３に遊嵌されている突出軸４１は、スプリング４５によって他の突出軸４１に引き寄せられているので、容易に外れることはない。
【００７４】
なお、上記の弾性体としてのスプリング４５は、必ずしもこれに限らず、弾性体としてのゴム等を用いることができる。さらに、上記スプリング４５は、いずれも突出軸４１・４１の先端部分に取り付けられているが、必ずしもこれに限らず、図１０に示すように、スプリング４５の一方の端部を突出軸４１に取り付けるとともに、他方の端部を長方形板４４の切欠き４３の近傍に取り付けることが可能である。これによっても、２枚の画像読取体１０・１０を相互に引き寄せることができる。
【００７５】
このように、ヒンジ部材４０が上記構造を有しているので、各画像読取体１０・１０は、このヒンジ部材４０によって回動自在に連結されている。そして、本実施の形態の画像読取体１０・１０の側面は、長方形に形成されている。
【００７６】
したがって、図１１（ａ）に示すように、画像読取体１０・１０を突出軸４１・４１を中心としてそれぞれ回転させて、このヒンジ部材４０にて連結されている相互の画像読取体１０・１０の開き角度を１８０度に固定することができる。そして、相互の画像読取体１０・１０の開き角度を１８０度にして画像読取体１０・１０の端部同士を突き合わせている状態では、これら画像読取体１０・１０はスプリング４５にて互いに引き寄せられるため、画像読取体１０・１０の開き角度１８０度が強固に保持される。
【００７７】
この結果、図１１（ｂ）に示すように、ヒンジ部材４０を、相互の画像読取体１０・１０の開き角度を１８０度となるように固定することにより、相互の画像読取体１０・１０を同一平面となるように強固に固定し、シート状の原稿４の情報を容易に読み取ることができる。
【００７８】
また、１枚の画像読取体１０よりも広い範囲の原稿情報を読み取る場合においても、これら２枚の画像読取体１０・１０を、同一平面となるように２枚並べて固定することにより、容易に広い範囲の原稿情報を読み取ることができる。
【００７９】
ところで、例えば、厚い本の見開いて両頁を読み取る場合には、当該本の頁が山形となっているので、それを平面状態にするのは困難である。しかし、その本を９０°開いた状態では、各頁をそれぞれ容易に平面状態にすることができる。
【００８０】
すなわち、厚手の本の画像情報を読み取る場合、本を１８０度開いて、画像情報を読み込もうとすると、その綴じ代部分が９０度曲げられる方向に引っ張られ、同一平面に開くことは困難である。そのため、綴じ代部分の画像情報が欠如したり、ゆがんだ形で取り込まれたりすることが多い。
【００８１】
そこで、本実施の形態では、図１２（ａ）に示すように、画像読取体１０・１０を開き角度９０°となるように回転させ、かつその直角状態に固定することができるようになっている。
【００８２】
この結果、図１２（ｂ）に示すように、厚い本５であっても、本の開き角度を９０°に固定することにより、開かれている各頁を容易に平面状態にし、密着型エリアセンサ１を画像の全面について確実に密着させ、画像情報の読み取りを不具合なく行うことができる。すなわち、上記密着型エリアセンサ１は、本５を１８０度開く必要がなく、本５を９０度開いた形で読み取ることができる。
【００８３】
一方、本実施の形態では、前記図６に示したように、画像読取体１０・１０を閉じた状態にして、スプリング４５の引っ張り力により固定しておくことが可能である。これによって、密着型エリアセンサ１を折り畳んだ状態に固定することができるので、密着型エリアセンサ１をコンパクトにして携帯性を向上することができる。
【００８４】
また、本実施の形態では、この密着型エリアセンサ１を折り畳んだ状態のときに、単に携帯するだけでなく、図１３に示すように、本５の１枚を挟持し、その１枚の両面の頁の読み取りを行うことができる。
【００８５】
このとき、本実施の形態では、２つの画像読取体１０・１０は、その一方が、画像情報を生成している間は、他方は、画像情報を生成することがないようにしている。この理由は、画像読取体１０・１０の間に紙等のシート状の原稿４を挟んで、両面を読み取るときに、裏側の画像情報を誤読しないようにするためである。
【００８６】
また、本実施の形態のヒンジ部材４０では、スプリング４５によって、画像読取体１０・１０の間を広げることができる。この結果、画像読取体１０・１０の間に挟む原稿４の厚さが、多少厚いものでも、安定して挟み込むことができる。
【００８７】
上記構成の密着型エリアセンサ１では、ガラス、石英等の透光性の基板上に薄膜トランジスタ(ＴＦＴ)をマトリクス状に配置した画像読取センサ基板２０を形成する。この画像読取センサ基板２０の裏面から光を入射させることにより、センサ内部を透過した光が、原稿面で反射し、センサ部２４に情報を提供するため、光学系を用いることなく、画像情報を得ることができ、小型、薄型、軽量の密着型エリアセンサ１を提供することができる。
【００８８】
また、センサ部２４が、マトリクス状に配置されているため、機械的なスキャンを必要とせず、読み取りも高速で行うことができる。光源をＲＧＢ３色の時分割で切り替え、順次読み取ることで、カラー化を実現する。
【００８９】
さらに、画像読取体１０・１０を広げて、シート状の原稿４の両面、又は複数の面のそれぞれに１台ずつ読み取り面を密着させることにより、一度の操作で、複数場所の大面積の画像情報を読み取ることができる。また、持ち運ぶときには、小さく折り畳むことによって、携帯に便利な密着型エリアセンサ１が実現できる。すなわち、複数の原稿４、及び本５等の厚手の原稿４の複数の位置に散在する画像情報を一度に読み取ることを可能とする携帯性に優れた密着型エリアセンサ１を提供する。
【００９０】
また、複数回に分けて読み取った画像情報を、合成することにより、さらに大面積の原稿４上の画像情報を読み取ることもできる。
【００９１】
この場合、１台の画像読取体１０の読み取り時間は、モノクロで０．３秒程度、カラーでも１秒程度であるので、２台用いたときでも２秒程度で読み取ることができる。また、原稿４の両面を読み取るときには、バックライト３０を同時に点灯しないようにし、透過光が入って裏面の情報が重畳されることがないようにする。表裏順次に読み取っても、２秒程度で画像情報が得られる。
【００９２】
このように、本実施の形態の密着型エリアセンサ１では、複数個のセンサ部２４をマトリクス状に配置して画像を読み取る画像読取センサ基板２０をそれぞれ有する複数の画像読取体１０・１０と、複数の画像読取体１０・１０を相互に接続するための可撓性を有する接続線２とを備えている。
【００９３】
したがって、従来、ＣＣＤイメージセンサにおいて必要であった光学系を用いることなく、画像情報を得ることができ、小型、薄型、軽量の密着型エリアセンサを提供することができる。
【００９４】
また、本実施の形態の密着型エリアセンサは、各画像読取体１０・１０は分離しているが、可撓性を有する接続線２にて相互に接続されているので、広い範囲の画像を読み取る場合には、複数の画像読取体１０・１０を原稿画像に当接させることによって、広い範囲の画像を同時に読み取ることができる。
【００９５】
さらに、画像読取をしない場合には、各画像読取体１０・１０は可撓性を有する接続線２にて相互に接続されているので、各画像読取体１０・１０を容易に重ねることができる。
【００９６】
また、接続線２は可撓性を有するので、各画像読取体１０・１０をどのようにも組み合わせることができる。このため、本のような厚い場合にも、両面読み取りが可能である。
【００９７】
したがって、小型、薄型、軽量であり、かつ広範囲の画像情報を取得しつつ携帯性を向上し得る密着型エリアセンサ１を提供することができる。
【００９８】
また、本実施の形態の密着型エリアセンサ１では、各画像読取体１０・１０は、ヒンジ部材４０によって回動自在に連結されているので、画像を読み取るときには、ヒンジ部材４０に連結された画像読取体１０・１０を開いて広範囲の片面情報を一度に読み取ることができる。また、画像の読み取りが終わった場合には、複数の画像読取体１０・１０をヒンジ部材４０によって重ね合わせることにより、容易に密着型エリアセンサ１を折り畳むことができる。
【００９９】
したがって、各画像読取体１０・１０の連結状態を保持しながら、広範囲の情報の同時読み取りと、折り畳んだ状態での密着型エリアセンサ１の携帯を行うことができる。この結果、小型、薄型、軽量であり、かつ広範囲の画像情報を取得しつつ携帯性を向上し得る密着型エリアセンサ１を提供することができる。
【０１００】
また、本実施の形態の密着型エリアセンサ１では、ヒンジ部材４０は、各画像読取体１０・１０を脱着自在となっているので、例えば、離れた原稿画像情報を読み取る場合には、各画像読取体１０・１０を離脱させて、容易にその離れた原稿画像情報を読み取ることができる。
【０１０１】
また、本実施の形態の密着型エリアセンサ１では、ヒンジ部材４０にて連結されている両画像読取体１０・１０の開き角度を直角に固定することができるようになっている。
【０１０２】
したがって、厚い本であっても、本の開き角度を９０°に固定することにより、各頁を容易に平面状態にし、密着型エリアセンサが画像の全面について確実に密着されるようにして、情報の誤読を防止する。
【０１０３】
また、本実施の形態の密着型エリアセンサ１では、ヒンジ部材４０を、相互の画像読取体１０・１０の開き角度を１８０度となるように固定することにより、相互の画像読取体１０・１０を同一平面となるように固定し、シート状原稿の情報を容易に読み取ることができる。
【０１０４】
また、本実施の形態の密着型エリアセンサ１では、ヒンジ部材４０は、各画像読取体１０・１０の側面端部から突出する突出軸４１・４１と、上記突出軸４１・４１のそれぞれを貫通させるべく、長手方向に沿って線状に形成された長孔４２と長手方向に直角に形成された切欠き４３とを有する長方形板４４と、上記長孔４２に貫通された突出軸４１を、他方の画像読取体１０に形成された突出軸４１に引き寄せるスプリング４５とからなっている。
【０１０５】
したがって、このヒンジ部材４０では、例えば、２枚の画像読取体１０・１０の間に原稿４を挟持して原稿４の両面を読み取ることができる。この場合、２枚の画像読取体１０・１０は、スプリング４５によって原稿４を押圧して挟持するので、画像読取体１０・１０の原稿４への密着性が確保される。また、この状態は、密着型エリアセンサ１を折り畳んだ状態でもあるので、密着型エリアセンサ１の携帯時において、各画像読取体１０・１０を相互に分離しないようにして保持することができる。
【０１０６】
さらに、本実施の形態では、ヒンジ部材４０におけるこの長孔４２とスプリング４５との組み合わせにより、例えば２枚の画像読取体１０・１０を開き角度９０°又は開き角度１８０°に固定することができる。
【０１０７】
また、本実施の形態の密着型エリアセンサ１では、各画像読取体１０・１０をそれぞれ独立に駆動して画像読み取りすることができる。したがって、例えば、一枚の原稿４を挟持した場合において、片面のみの情報の読み取りを行うことができる。
【０１０８】
また、本実施の形態の密着型エリアセンサ１では、各画像読取体１０・１０は、順に画像読み取り駆動可能となっているので、両面の情報が同時に読み取られることはない。したがって、各面の情報を、確実に誤読なく読み込むことができる。
【０１０９】
また、本実施の形態の密着型エリアセンサ１では、画像読取体１０・１０は、画像読取センサ基板２０の裏面にバックライト３０を備えており、そのバックライト３０は、赤（Ｒ）・緑（Ｇ）・青（Ｂ）の光をサブフレーム期間毎に順に点灯する。このため、原稿画像をカラーにて読み取ることができる。
【０１１０】
また、本実施の形態の密着型エリアセンサ１では、各画像読取体１０・１０にて読み取った全ての画像情報は、画像読取体１０・１０の少なくとも１個設けられるメモリチップ６に記憶される。そして、このメモリチップ６は、画像読取体１０に対して着脱自在となっている。したがって、密着型エリアセンサ１と例えばパーソナルコンピュータとを絶えず接続しておく必要がないので、携帯性に優れる。また、密着型エリアセンサ１のみを携帯することによって、パーソナルコンピュータがなくても任意の場所で原稿画像を読み取ることができる。
【０１１１】
なお、本発明は、上記の実施の形態に限定されるものではなく、本発明の範囲内で種々の変更が可能である。例えば、上記実施の形態では、ヒンジ部材４０として、独自の構成を有するものを使用したが、特にこれに限定するものではない。
【０１１２】
例えば、図１４（ａ）に示すように、ヒンジ部材として市販の蝶番５０を使用することができる。これによって、図１４（ｂ）（ｃ）に示すように、回動可能に連結された画像読取体１０・１０を容易に製造することができる。また、この場合には、図１４（ｄ）に示すように、互いの蝶番５０を分離可能に構成することができる。これによって、離れた２枚の原稿を読み取る場合に便利である。
【０１１３】
さらに、本実施の形態では、接続線２は、例えば図６に示すように、外部に露出するものとなっていた。しかし、必ずしもこれに限らず、例えば、図１５（ａ）（ｂ）（ｃ）に示すように、ヒンジ部材４０に内蔵する構造とすることができる。すなわち、前記突出軸４１・４１及び長方形板４４を円筒突出軸４１ａ・４１ａ及び円筒連結管４４ａにて構成したものとなっている。なお、この場合、円筒連結管４４ａは、２つのパーツに分かれており、重なり部分を有している。このため、１枚のシート状の原稿４又は厚手の本５であっても、自在に円筒連結管４４ａを伸縮してこれらの原稿４又は厚手の本５を読み取ることができる。
【０１１４】
この結果、図１６（ａ）（ｂ）に示すように、密着型エリアセンサ１を閉じたときや開いたときにおいて、接続線２が露出せず、見栄えがよいものとなる。
【０１１５】
また、本実施の形態の画像読取体１０ではバックライト３０が設けられているが、必ずしもこれに限らず、画像読取センサ基板２０単独からなる画像読取体１０であってもよい。このように、バックライト３０を設けない場合は、外光を利用して画像を読み取ればよい。
【０１１６】
さらに、バックライト３０を設けない場合は、画像読取センサ基板２０の裏面側に、透過・遮光切り替え層を設けたほうが良い。
【０１１７】
具体的には、図１７に示すように、画像読み取りセンサ基板２０と、この画像読取センサ基板２０の裏面側に設けられる透過・遮光切り替え層７０とからなる画像読取体１０とすることができる。
【０１１８】
この透過・遮光切り替え層７０は、画像読み取りセンサ基板２０に対して光を透過させる透光状態と、遮光状態にする状態とを切り替えるものであり、本発明の透光・遮光切り替え手段としての機能を有している。
【０１１９】
この透過・遮光切り替え層７０としては、例えば、液晶ディスプレイのように、２枚のガラス板に透明電極を蒸着し、液晶材料を挟み込んで、封止し、両面に偏光フィルムを貼ったものを電気的に制御し、ＯＮ・ＯＦＦすることによって、透光・遮光を切り替える構成のものが考えられる。
【０１２０】
上記の密着型エリアセンサ１では、１枚の原稿４を画像読取体１０・１０にて両面から挟み込んだときに、一方の画像読取体１０が画像情報を読み取るときには、他方の画像読取体１０に設けられた透過・遮光切り替え層７０を遮光状態にすることができる。
【０１２１】
したがって、１枚の原稿４の両面の画像情報を画像読取体１０・１０にて交互に読み取る場合に、原稿４の裏面からの透過光による、裏面情報の誤読を防止することができる。
【０１２２】
また、この密着型エリアセンサ１にて、通常のように、１枚の原稿４の片面を読み取る場合には、１枚の原稿４の上に画像読取体１０・１０を載置する。そして、このときには、透過・遮光切り替え層７０を透光状態にしておく。
【０１２３】
これにより、画像読取体１０・１０の裏面側からの外光を利用して、原稿４の画像情報を読み取ることができる。
【０１２４】
〔実施の形態２〕
本発明の他の実施の形態について図１８に基づいて説明すれば、以下の通りである。なお、説明の便宜上、前記の実施の形態１の図面に示した部材と同一の機能を有する部材については、同一の符号を付し、その説明を省略する。
【０１２５】
本実施の形態では、図１８に示すように、前記実施の形態におけるヒンジ部材４０の代わりに、各画像読取体１０・１０の周辺部分に磁石６０を取り付け、この磁力により、複数の画像読取体１０・１０を脱着可能にする。
【０１２６】
なお、本実施の形態においてはヒンジ部材４０の代わりに画像読取体１０・１０の周辺部分に磁石６０を取り付けているが、必ずしもこれに限らず、ヒンジ部材４０を設けるとともに、さらに、磁石６０を取り付けることが可能である。
【０１２７】
これにより、密着型エリアセンサ１を折り畳んだときには、磁力により確実に画像読取体１０・１０を密着状態に閉じておくことができる。
【０１２８】
また、磁石６０により固定された画像読取体１０・１０は、それを容易に引き剥がすことができるので、画像読取体１０・１０を開いて画像を読み取ることができる。
【０１２９】
したがって、広範囲の画像情報を取得しつつ携帯性を向上し得る密着型エリアセンサ１を提供することができる。
【０１３０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。
【０１３１】
例えば、本実施の形態１及び実施の形態２においては、バックライト３０は、発光ダイオード３２であるとしていたが、必ずしもこれに限らず、ＥＬ（Electro  Luminescence）を用いることも可能である。
【０１３２】
【発明の効果】
本発明の密着型エリアセンサは、以上のように、複数個のセンサ部をマトリクス状に配置して画像を読み取る画像読取センサ基板をそれぞれ有する複数の画像読取体と、上記複数の画像読取体を相互に接続するための可撓性を有する接続線とを備えているものである。
【０１３３】
それゆえ、従来、ＣＣＤイメージセンサにおいて必要であった光学系を用いることなく、画像情報を得ることができ、小型、薄型、軽量の密着型エリアセンサを提供することができる。また、画像読取のセンサ部がマトリクス状に配置されており、画像を平面的に読み取ることができるので、機械的なスキャンを必要とせず、読み取りも高速で行うことができる。
【０１３４】
さらに、各画像読取体は分離しているが、可撓性を有する接続線にて相互に接続されているので、広い範囲の画像を読み取る場合には、複数の画像読取体を原稿画像に当接させることによって、広い範囲の画像を同時に読み取ることができる。
【０１３５】
また、画像読取をしない場合には、各画像読取体は可撓性を有する接続線にて相互に接続されているので、各画像読取体を容易に重ねることができる。
【０１３６】
さらに、接続線は可撓性を有するので、各画像読取体をどのようにも組み合わせることができ、その結果、本のような厚い場合にも、両面読み取りが可能である。
【０１３７】
したがって、小型、薄型、軽量であり、かつ広範囲の画像情報を取得しつつ携帯性を向上し得る密着型エリアセンサを提供することができるという効果を奏する。
【０１３８】
また、本発明の密着型エリアセンサは、上記密着型エリアセンサにおいて、前記各画像読取体は、ヒンジ部材によって回動自在に連結されているものである。
【０１３９】
それゆえ、各画像読取体の連結状態を保持しながら、広範囲の情報の同時読み取りと、折り畳んだ状態での密着型エリアセンサの携帯を行うことができる。この結果、小型、薄型、軽量であり、かつ広範囲の画像情報を取得しつつ携帯性を向上し得る密着型エリアセンサを提供することができるという効果を奏する。
【０１４０】
また、本発明の密着型エリアセンサは、上記密着型エリアセンサにおいて、前記ヒンジ部材は、各画像読取体を脱着自在となっているものである。
【０１４１】
それゆえ、例えば、離れた原稿画像情報を読み取る場合には、各画像読取体を離脱させて、容易にその離れた原稿画像情報を読み取ることができるという効果を奏する。
【０１４２】
また、本発明の密着型エリアセンサは、上記密着型エリアセンサにおいて、前記ヒンジ部材は、このヒンジ部材にて連結されている相互の画像読取体の開き角度を直角に固定可能となっているものである。
【０１４３】
それゆえ、厚い本であっても、本の開き角度を９０°に固定することにより、各頁を容易に平面状態にし、密着型エリアセンサが画像の全面について確実に密着されるようにして、情報の誤読を防止するという効果を奏する。
【０１４４】
また、本発明の密着型エリアセンサは、上記密着型エリアセンサにおいて、前記ヒンジ部材は、このヒンジ部材にて連結されている相互の画像読取体の開き角度を１８０度に固定可能となっているものである。
【０１４５】
それゆえ、ヒンジ部材を、相互の画像読取体の開き角度を１８０度となるように固定することにより、相互の画像読取体を同一平面となるように固定し、シート状原稿の情報を容易に読み取ることができるという効果を奏する。
【０１４６】
また、本発明の密着型エリアセンサは、上記密着型エリアセンサにおいて、前記ヒンジ部材は、各画像読取体の側面端部から突出する突出軸と、上記突出軸のそれぞれを貫通させるべく、長手方向に沿って線状に形成された長孔と長手方向に直角に形成された切欠きとを有する長方形板と、上記長孔に貫通された突出軸を、他方の画像読取体に形成された突出軸に引き寄せる弾性体とからなっているものである。
【０１４７】
それゆえ、このヒンジ部材では、例えば、２枚の画像読取体の間に原稿を挟持して原稿の両面を読み取ることができる。この場合、２枚の画像読取体は、弾性体によって原稿を押圧して挟持するので、画像読取体の原稿への密着性が確保される。また、この状態は、密着型エリアセンサを折り畳んだ状態でもあるので、密着型エリアセンサの携帯時において、各画像読取体を相互に分離しないようにして保持することができるという効果を奏する。
【０１４８】
さらに、本発明では、ヒンジ部材におけるこの長孔と弾性体との組み合わせにより、例えば２枚の画像読取体を開き角度９０°又は開き角度１８０°に固定することができるという効果を奏する。
【０１４９】
また、本発明の密着型エリアセンサは、上記密着型エリアセンサにおいて、前記画像読取体には、各画像読取体を重ね合わせたときにこれら各画像読取体を着脱自在に固定する磁石が設けられているものである。
【０１５０】
それゆえ、密着型エリアセンサを折り畳んだときには、各画像読取体は磁石によって密着状態に固定される。一方、磁石により固定された画像読取体は、それを容易に引き剥がすことができるので、画像読取体を開いて画像を読み取ることができる。
【０１５１】
したがって、広範囲の画像情報を取得しつつ携帯性を向上し得る密着型エリアセンサを提供することができるという効果を奏する。
【０１５２】
また、本発明の密着型エリアセンサは、上記密着型エリアセンサにおいて、前記接続線は、ヒンジ部材に内蔵されているものである。
【０１５３】
それゆえ、接続線が露出しないので、見栄えの良い密着型エリアセンサを提供することができるという効果を奏する。
【０１５４】
また、本発明の密着型エリアセンサは、上記密着型エリアセンサにおいて、前記各画像読取体は、それぞれが独立に画像読み取り駆動可能となっているものである。
【０１５５】
それゆえ、一枚の原稿を挟持した場合において、片面のみの情報の読み取りを行うことができるという効果を奏する。
【０１５６】
また、本発明の密着型エリアセンサは、上記密着型エリアセンサにおいて、前記各画像読取体は、順に画像読み取り駆動可能となっているものである。
【０１５７】
それゆえ、両面の情報が同時に読み取られることはない。したがって、各面の情報を、確実に誤読なく読み込むことができるという効果を奏する。
【０１５８】
また、本発明の密着型エリアセンサは、上記密着型エリアセンサにおいて、前記画像読取体は、画像読取センサ基板の裏面にバックライトを備え、上記バックライトは、赤、緑、青の光をサブフレーム期間毎に順に点灯するものである。
【０１５９】
それゆえ、原稿画像をカラーにて読み取ることができるという効果を奏する。
【０１６０】
また、本発明の密着型エリアセンサは、上記密着型エリアセンサにおいて、前記画像読取体の少なくとも１個には、各画像読取体にて読み取った全ての画像情報を記憶するための記憶手段が着脱自在に設けられているものである。
【０１６１】
それゆえ、密着型エリアセンサと例えばパーソナルコンピュータとを絶えず接続しておく必要がないので、携帯性に優れる。また、密着型エリアセンサのみを携帯することによって、パーソナルコンピュータがなくても任意の場所で原稿画像を読み取ることができるという効果を奏する。
【０１６２】
また、本発明の密着型エリアセンサは、上記密着型エリアセンサにおいて、前記画像読取体は、前記画像読取センサ基板の裏面に、透光と遮光とを切り替える透光・遮光切り替え手段を備えているものである。
【０１６３】
それゆえ、１枚の原稿の両面を各画像読取体にて挟んで画像情報を読み取る場合に、一方の画像読取体にて画像情報を読み取るときには、他方の画像読取体における裏面の透光・遮光切り替え手段を遮光状態にすることができる。
【０１６４】
したがって、１枚の原稿を両面から挟んで画像情報を読み取る場合に、原稿の裏面からの透過光による、裏面情報の誤読を防止することができるという効果を奏する。
【図面の簡単な説明】
【図１】本発明における密着型エリアセンサの実施の一形態を示す平面図である。
【図２】着脱自在のメモリチップを備えた密着型エリアセンサを示す斜視図である。
【図３】上記密着型エリアセンサにおける画像読取体の構成を示す断面図である。
【図４】上記画像読取体に設けられたバックライトの発光ダイオードの構成を示す斜視図である。
【図５】上記バックライトにおける３色の発光ダイオードの点灯動作をしめすタイミングチャートである。
【図６】上記２枚の画像読取体の閉じた状態を示す斜視図である。
【図７】上記画像読取体を示す平面図である。
【図８】上記画像読取体の側面に設けられたヒンジ部材の構成を示す側面図である。
【図９】上記ヒンジ部材の構造を示す斜視図である。
【図１０】上記ヒンジ部材におけるスプリングの他の取り付け状態を示す側面図である。
【図１１】（ａ）は上記ヒンジ部材にて連結されている相互の画像読取体の開き角度を１８０度に固定した密着型エリアセンサを示す要部側面図であり、（ｂ）は相互の画像読取体の開き角度を１８０度に固定して原稿を読み取る密着型エリアセンサを示す斜視図である。
【図１２】（ａ）は上記ヒンジ部材にて連結されている相互の画像読取体の開き角度を９０度に固定した密着型エリアセンサを示す要部側面図であり、（ｂ）は相互の画像読取体の開き角度を９０度に固定して原稿を読み取る密着型エリアセンサを示す斜視図である。
【図１３】上記ヒンジ部材にて連結されている相互の画像読取体を閉じて原稿を挟持することにより、本の１枚の両面を読み取る密着型エリアセンサを示す斜視図である。
【図１４】（ａ）は他のヒンジ部材を示す斜視図、（ｂ）は上記他のヒンジ部材を取り付けた密着型エリアセンサの閉じた状態を示す斜視図、（ｃ）は上記他のヒンジ部材を取り付けた密着型エリアセンサの半開きにした状態を示す斜視図、（ｄ）は相互に分離可能となる他のヒンジ部材を示す斜視図である。
【図１５】（ａ）はさらに他のヒンジ部材を示す斜視図、（ｂ）は上記ヒンジ部材の内部構造を示す透視図、（ｃ）は上記他のヒンジ部材を上から見た断面図である。
【図１６】（ａ）は上記ヒンジ部材を取り付けた密着型エリアセンサの閉じた状態を示す斜視図、（ｂ）は上記ヒンジ部材を取り付けた密着型エリアセンサの開いた状態を示す斜視図である。
【図１７】上記密着型エリアセンサの変形例を示すものであり、バックライトに代えて、透過・遮光切り替え層を備えた密着型エリアセンサを示す断面図である。
【図１８】本発明における密着型エリアセンサの他の実施の形態を示すものであり、磁石を取り付けた密着型エリアセンサを示す平面図である。
【符号の説明】
１    密着型エリアセンサ
２    接続線
４    原稿
６    メモリチップ（記憶手段）
１０    画像読取体
２０    画像読取センサ基板
２４    センサ部
３０    バックライト
３２    発光ダイオード
４０    ヒンジ部材
４１    突出軸
４２    長孔
４３    切欠き
４４    長方形板
４５    スプリング（弾性体）
５０    蝶番（ヒンジ部材）
６０    磁石
７０    透過・遮光切り替え層（透光・遮光切り替え手段）
【図１】
2004166223.tif 000003
【図２】
2004166223.tif 000004
【図３】
2004166223.tif 000005
【図４】
2004166223.tif 000006
【図５】
2004166223.tif 000007
【図６】
2004166223.tif 000008
【図７】
2004166223.tif 000009
【図８】
2004166223.tif 000010
【図９】
2004166223.tif 000011
【図１０】
2004166223.tif 000012
【図１１】
2004166223.tif 000013
【図１２】
2004166223.tif 000014
【図１３】
2004166223.tif 000015
【図１４】
2004166223.tif 000016
【図１５】
2004166223.tif 000017
【図１６】
2004166223.tif 000018
【図１７】
2004166223.tif 000019
【図１８】
2004166223.tif 000020